(57)【特許請求の範囲】
【請求項１】
複数枚のディスクを重ねて収納できるディスク収納空間部を有するトレイと、そのトレイに対して開閉する蓋部材とを少なくとも備え、
収納されるべきディスクの中心孔に挿入する筒状部を前記トレイの底面部から立設し、そのトレイの一部からロック部片を屈曲可能に延設して、そのロック部片の一部を前記筒状部の一部に着脱可能に係止することができるとともに、筒状部に係止しないときにはロック部片を折りたたんでトレイの底面部側に収納でき、その収納状態のときにディスクの非記録領域と当接する凸部が前記ロック部片に設けられていることを特徴とするディスク収納容器。
【請求項２】
複数枚のディスクを重ねて収納できるディスク収納空間部を有するトレイと、そのトレイに対して開閉する蓋部材とを少なくとも備え、
収納されるべきディスクの中心孔に挿入する筒状部を前記トレイの底面部から立設し、そのトレイの一部から回動片部を有するロック部片を屈曲可能に延設して、そのロック部片の一部を前記筒状部の一部に着脱可能に係止することができるとともに、筒状部に係止しないときには前記回動片部をほぼ垂直に折ってロック部片をトレイの底面部側に収納でき、その収納状態のときに最下部のディスクの外周部が回動片部の下部に当接することを特徴とするディスク収納容器。
【請求項３】
請求項１または請求項２記載のディスク収納容器において、前記ディスク収納容器が、下ケースと、その下ケースに装着される前記トレイと、前記下ケースまたはトレイに可動可能に支持される蓋部材とから構成されていることを特徴とするディスク収納容器。
【請求項４】
請求項１記載のディスク収納容器において、前記凸部が、前記筒状部の基部に設けられた段部とほぼ同心円状でかつほぼ同じ高さに設けられていることを特徴とするディスク収納容器。
【請求項５】
請求項２記載のディスク収納容器において、前記回動片部にディスクの外周部が当接するリブが設けられていることを特徴とするディスク収納容器。
【発明の詳細な説明】
【０００１】
【産業上の利用分野】
本発明は、光ディスク、ハードディスクあるいは他の円盤状部材などを収納するディスク収納容器に係り、特に複数枚のディスクを収納できるディスク収納容器に関する。
【０００２】
【従来の技術】
図１４ないし図１９は実開平４−８４１８９号公報に記載されている磁気記録媒体包装容器を説明するための図で、図１４は重畳台の平面図、図１５は図１４のＡ−Ａ線断面図、図１６は図１４のＢ−Ｂ線拡大断面図、図１７は筒状蓋の平面図、図１８は図１７のＡ−Ａ線断面図、図１９は磁気記録媒体を収納した包装容器の断面図である。
【０００３】
重畳台１０１の底板１０１ａに、中央突出軸１０２、つば部１０３、つば部１０３より張り出した周縁部１０４を有している。筒状蓋１１１を底板１０１ａのつば部１０３に装着した際、中央突出軸１０２の上端部１０９は筒状蓋１１１の凹部１１４に嵌入、支持される。
【０００４】
底板１０１ａの周縁部１０４に、筒状蓋１１１の突出片１１２の一部を嵌合、係止する突出片受け１０５が設けられている。突出片受け１０５の下面と底板１０１ａの上面との間隔は、突出片１１２の厚みと略同じで、図１６に示すように突出片受け１０５に開口１０６が設けられ、突出片受け１０５の下方に相当する周縁部１０４に切欠部１０８が形成されている。図１５に示すように突出片受け１０５の内側端に、つば部１０３の外周との間に筒状蓋１１１の厚み以上の隙間１０７が形成されている。
【０００５】
筒状蓋１１１は図１８に示すように円錐台状の上部１１５と円筒状の下部１１６から構成され、下部１１６に水平方向に張り出した複数の突出片１１２が設けられている。重畳台１０１と筒状蓋１１１を組み合わせる際には両者の軸心を合わせ、筒状蓋１１１の下端を重畳台１０１のつば部１０３または周縁部１０４に当接し、筒状蓋１１１を図１７に示すＲ方向に回転させ、突出片１１２を突出片受け１０５内に嵌合、収容させる。
【０００６】
この際、突出片１１２は図１７，図１８に示すように突起１１３を有し、突起１１３の上部が突出片受け１０５の下面に接触すると、周縁部１０４に切欠部１０８が形成されていることから、突出片１１２は若干下方に変形する。
【０００７】
さらに筒状蓋１１１を回転すると、突出片１１２の突起１１３が突出片受け１０５に形成されている溝１１０（図１６参照）に嵌入することにより、突出片１１２の変形が解除され、筒状蓋１１１は重畳台１０１に対して位置決めされる。筒状蓋１１１をＲ方向と反対側に回転すると、筒状蓋１１１を重畳台１０１から外すことができる。
【０００８】
図１７に示す１１７は突出片１１２に設けたストッパー、図１９に示す１１８は重畳台１０１と筒状蓋１１１の間に積層された状態で収容された磁気ディスクである。
【０００９】
図２０ならびに図２１は実開平３−７５１８８号公報に記載されている光ディスク収納用容器を示す図で、図２０は収納用容器の斜視図、図２１は光ディスクをクランプする直前の状態を示す要部断面図である。
【００１０】
図中の２０５は、光ディスク２０３を載置するディスク収納凹部２０１に形成されたクランプ部、２０５ａはクランプ部２０５を構成する複数のクランプ片で、弾性を有しており、２０５ｂはクランプ片２０５ａで囲まれて形成された中央孔である。
【００１１】
２０６は蓋２０４に設けられた突部で、蓋２０４を閉じたときにクランプ部２０５の中央孔２０５ｂに嵌入して、各クランプ片２０５ａの上部を図２１に示すように径方向外側（矢印Ｃ方向）に押し拡げる。
【００１２】
この光ディスク収納用容器は、蓋２０４が開かれた状態では光ディスク２０３はクランプされておらず、ディスク収納凹部２０１から光ディスク２０３を自由に出し入れできる。蓋２０４を閉じると突部２０６がクランプ部２０５の中央孔２０５ｂに圧入され、各クランプ片２０５ａの上部を径方向外側（矢印Ｃ方向）に押し拡げ、それによって光ディスク２０３がクランプされる。
【００１３】
【発明が解決しようとする課題】
ディスクの使用態様あるいは保管態様によっては、図１９や図２１のように横置きでなくディスクを縦置きにする場合がある。ところで、図１４〜図１９に示す磁気記録媒体包装容器は、筒状蓋１１１を重畳台１０１から外して重畳台１０１を横にすると、すなわち磁気ディスク１１８を縦にすると、上側にあった磁気ディスク１１８の何枚かがが中央突出軸１０２から外れて倒れてしまい、磁気ディスク１１８の使用あるいは保管に支障をきたす。
【００１４】
また図２０，図２１に示す光ディスク収納用容器では、蓋２０４を開けると突部２０６がクランプ部２０５から抜け、それに伴って各クランプ片２０５ａが復元力で内側に寄って光ディスク２０３へのクランプ力が無くなる。この状態で光ディスク２０３を立てるとクランプ部２０５から抜けて倒れてしまい、光ディスク２０３の使用あるいは保管に支障をきたす。
【００１５】
さらに図１４〜図１９に示す磁気記録媒体包装容器において筒状蓋１１１を下にした状態で誤って開けた場合、あるいは図２０，図２１に示す光ディスク収納用容器において蓋２０４を下にした状態で誤って開けた場合、収納している磁気ディスク１１８や光ディスク２０３が脱落して、ディスクが損傷することがある。
【００１６】
さらにまた図１４〜図１９に示す磁気記録媒体包装容器は、溝１１０の形成で一部が極薄になった片持梁状の突出片受け１０５、部分的に径方向外側へ突出した突出片１１２などが設けられているため、使用中などに突出片受け１０５や突出片１１２が曲がったり折れたりして、それの機能を喪失することがある。
【００１７】
本発明の第１の目的は、このような従来技術の欠点を解消し、収納しているディスクが不用意に脱落（転倒を含む）することがなく、取扱性が良好で、またディスク表面に傷を生じることのないディスク収納容器を提供することにある。
【００１８】
本発明の第２の目的は、このような従来技術の欠点を解消し、収納しているディスクが不用意に脱落（転倒を含む）することがなく、取扱性が良好で、またディスク表面に傷を生じることがなく、所定枚数のディスクが確実に収納できるディスク収納容器を提供することにある。
【００１９】
【課題を解決するための手段】
前記第１の目的を達成するため、第１の本発明は、複数枚例えば光ディスクなどのディスクを重ねて収納できるディスク収納空間部を有するトレイと、そのトレイに対して開閉する蓋部材とを少なくとも備えている。
【００２０】
そして収納されるべきディスクの中心孔に挿入する筒状部を前記トレイの底面部から立設し、そのトレイの一部からロック部片を屈曲可能に延設して、そのロック部片の一部を前記筒状部の一部に着脱可能に係止することができるとともに、筒状部に係止しないときにはロック部片を折りたたんでトレイの底面部側に収納でき、その収納状態のときにディスクの非記録領域と当接する凸部が前記ロック部片に設けられていることを特徴とするものである。
【００２１】
前記第２の目的を達成するため、第２の本発明は、複数枚例えば光ディスクなどのディスクを重ねて収納できるディスク収納空間部を有するトレイと、そのトレイに対して開閉する蓋部材とを少なくとも備えている。
【００２２】
そして収納されるべきディスクの中心孔に挿入する筒状部を前記トレイの底面部から立設し、そのトレイの一部から回動片部を有するロック部片を屈曲可能に延設して、そのロック部片の一部を前記筒状部の一部に着脱可能に係止することができるとともに、筒状部に係止しないときには前記回動片部をほぼ垂直に折ってロック部片をトレイの底面部側に収納でき、その収納状態のときに最下部のディスクの外周部が回動片部の下部に当接することを特徴とするものである。
【００２３】
【発明の実施の形態】
第１ならびに第２の本発明は前述のように、トレイから延びたロック部片を筒状部に着脱可能に係止することにより、蓋部材を開いた状態でも収納されたディスクがディスク収納空間部から脱落するのを防止する構成になっているから、ディスクを縦置きにして蓋部材を開いても収納されているディスクが倒れて外に出ることがなく、ディスクを縦置きにして使用あるいは保管することが可能である。また蓋部材を下にした状態で誤って開けた場合も、収納しているディスクが脱落して損傷するようなことがない。このようなことから取扱性の良好なディスク収納容器を提供することができる。
【００２４】
第１の本発明は前述のように、ロック部片にディスクの非記録領域と当接する凸部が設けられているから、ロック部片の浮き上がりによるディスク表面の傷付きが防止できる。
【００２５】
第２の本発明は前述のように、最下部のディスクの外周部が回動片部の下部に当接する構成になっているから、ロック部片の浮き上がりによるディスク表面の傷付きが防止できるとともに、所定枚数のディスクが確実に収納可能である。
【００２６】
以下、本発明の実施の形態を図面に基づいて説明する。図１は実施の形態に係るディスク収納容器に用いる下ケースの斜視図、図２はそのディスク収納容器に用いる蓋部材の斜視図、図３はそのディスク収納容器に用いるトレイの斜視図、図４はトレイの平面図、図５は図４Ｘ−Ｘ線上におけるトレイの断面図、図６はトレイの筒状部付近の拡大断面図である。
【００２７】
本発明に係るディスク収納容器は、下ケース１と、その下ケース１に装着されるトレイ２と、前記下ケース１またはトレイ２に回動可能に支持される蓋部材３の３ピースから構成され、これら３ピースは分離可能になっており、必要に応じて下ケース１とトレイ２と蓋部材３の３ピースの組み合わせ、ならびに下ケース１と蓋部材３の２ピースの組み合わせが可能になっている。
【００２８】
下ケース１と蓋部材３は、ポリスチレンなどの安価で成形性ならびに透明性に優れたスチレン系樹脂で成形される。一方、トレイ２はエチレン−プロピレンランダム共重合体、エチレン−プロピレンブロック共重合体、ポリプロピレンなどからなるポリオレフィン系樹脂あるいはポリアミド樹脂などのポリアミド系樹脂など耐屈曲性に優れた合成樹脂で成形されている。
【００２９】
下ケース１は図１に示すように平面形状が四角形で、底面部４と前壁５と後壁６と左右の側壁７を有し、側壁７の後壁６近くに透孔８が開設されている。
【００３０】
蓋部材３は図２に示すように平面形状が四角形で、左右の側壁９の内側にライブラリを支持する複数の支持突起１０が設けられ、側壁９の後端は蓋部材３の上面部１１よりも若干長く形成されて、内側に突出したピン１２を有している。
【００３１】
トレイ２も平面形状が四角形で、底面部１３と前壁１４と後壁１５と左右の側壁１６を有し、側壁１６の後壁１５近くに透孔１７が開設されている。これら底面部１３と前壁１４と後壁１５と左右の側壁１６により、ディスク収納空間部１８が形成される。
【００３２】
前記底面部１３のほぼ中央部に円筒状をした筒状部１９が底面部１３から一体に立設され、筒状部１９の外径は収納する光ディスク２０の中心孔の内径と略同寸かまたは若干径小に設計され、筒状部１９に対して光ディスク２０が容易に抜き差しできるようになっている。
【００３３】
このトレイ２（ディスク収納空間部１８）内に光ディスク２０が所定枚（例えば２０枚）収納可能で、筒状部１９の高さは光ディスク２０を所定枚積層したトータル厚さよりも若干高く設計されている。筒状部１９の頂部に挿入口２１とそれと隣接する略月形の係止片２２が設けられ、両者により係止部が構成されている。
【００３４】
図４に示すように後壁１５から底面部１３の筒状部１９側に向けて延びた２本のほぼＵ字状をした切込み溝２３ａ，２３ｂが所定の間隔をおいて設けられ、このＵ字状切込み溝２３ａ，２３ｂの間に平面形状がほぼＵ字形のロック部片２４が形成されている。図３に示すようにロック部片２４は、後壁１５の上部に肉薄状の第１ヒンジ部２５，２５を介して一体に連結され、第１ヒンジ部２５，２５から延びた回動片部２６，２６と、回動片部２６，２６の先端部に肉薄状の第２ヒンジ部２７，２７を介して一体に連結されディスク押え部２８とから構成されている。
【００３５】
ロック部片２４（ディスク押え部２８）の自由端部側のほぼ中央位置に略半月状をした開口部２９が開設され、この開口部２９は前記係止片２２より若干大きく設計されている。開口部２９の内側に、一段低くなり後壁１５側に向けて突出した突出片３０が形成されている（図５参照）。
【００３６】
前記開口部２９とディスク押え部２８の自由端部との間に、平面形状がほぼ半月状をした凸部３１が一体に形成されている。この凸部３１はディスク押え部２８より上方に向けて突出しており、図３ないし図５に示すように前記筒状部１９の基部側に設けられた段部３２とほぼ同心円状で、かつほぼ同じ高さを有している。
【００３７】
この段部３２は、トレイ２内に積載する光ディスク２０の記録領域に傷が生じないように設けたものである。すなわち図６に示すように、筒状部１９が挿入される光ディスク２０の中心孔と外周の記録領域３３の間にドーナツ状の非記録領域３４が形成されている。一方、トレイ２の段部３２は底面部１３より一段高くなっており、光ディスク２０の非記録領域３４が前記段部３２上に載置されることにより、記録領域３３がトレイ２の底面部１３に直接接触しないで浮いた状態になり、それで記録領域３３に傷が生じないようになっている。
【００３８】
前述のようにロック部片２４の自由端部に前記段部３２とほぼ同じ高さを有する凸部３１を設けておけば、ロック部片２４がそれ自身の弾性力などでトレイ２の底面部１３から持ち上がっていても、トレイ２内に光ディスク２０を積載することにより下方に押されて、ロック部片２４を図６に示すように所定の位置に納めることができる。なお、凸部３１は前記段部３２とほぼ同心円状に設けられているから、光ディスク２０の非記録領域３４と当接し、この凸部３１により光ディスク２０の記録領域３３が傷付くことはない。
【００３９】
図３ならびに図４に示すように、ロック部片２４の自由端部の内側（後壁１５側）には、ロック部片２４の取り出しを容易にするための切欠部３５が形成されている。また、前壁１４と側壁１６が接合しているコーナ部付近に、トレイ２からの光ディスク２０の取り出しを容易にするための凹部３６，３６が設けられている。これら切欠部３５ならびに凹部３６は、指先が挿入できる十分な広さを有している。
【００４０】
下ケース１の内側にトレイ２の下部が嵌合され、両者は透孔とピンあるいは凹部と凸部などの係合により着脱可能に連結される。そしてトレイ２の透孔１７に蓋部材３のピン１２を挿入することにより、蓋部材３がトレイ２に回動可能に支持される。
【００４１】
図７は、ロック部片２４をトレイ２の底面部１３側に納めて、蓋部材３を開いた状態を示している。この状態では、ロック部片２４の回動片部２５はほぼ垂直になっており、またディスク押え部２８は底面部１３とほぼ同一平面状になるように納められている。
【００４２】
図８は、トレイ２のディスク収納空間部１８に所定枚数の光ディスク２０を収納した状態を示している。光ディスク２０を収納する際は、ロック部片２４の自由端部側をトレイ２の底面部１３から取り出しながら、回動片部２５とディスク押え部２８をほぼ垂直状態まで起こす。そしてトレイ２の筒状部１９を光ディスク２０の中心孔に順次挿入して所定枚数の光ディスク２０をディスク収納空間部１８内に積載、収納する。
【００４３】
次にロック部片２４の回動片部２５とディスク押え部２８をほぼ水平方向まで倒して光ディスク２０の上面を覆い、ロック部片２４の突出片３０を筒状部１９の挿入口２１から挿入し、筒状部１９の係止片２２の下側に潜りこませて係止片２２と係合する。筒状部１９とロック部片２４の係合状態が、図８に示されている。
【００４４】
図９は、ロック部片２４を底面部１３に納めたまま、その上から光ディスク２０をディスク収納空間部１８内に積載、収納した状態を示している。そのとき図１０に示すように最下部の光ディスク２０の外周部は回動片部２６の下部に当接し、第１ヒンジ部２５を支点として回動片部２６を矢印方向▲１▼に押圧する。
【００４５】
回動片部２６が破線で示すように斜めになってロック部片２４がトレイ２の底面部１３の所定位置に収まっていないとき、ディスク押え部２８の一部が底面部１３と重なり合っている。この重合状態で光ディスク２０を収納すると、光ディスク２０の記録領域３３がディスク押え部２８の一部に当接して傷付く虞れがある。また重合状態になっていると、寸法的に所定枚数の光ディスク２０を収納することができなくなる場合もある。
【００４６】
これを回避するため前述のように、光ディスク２０をディスク収納空間部１８内に積載した際、最下部の光ディスク２０の外周部（非記録領域の部分）が回動片部２６の下部に当接するように、ロック部片２４の位置を設定しておれば、回動片部２６が斜めになっていても、光ディスク２０により回動片部２６が矢印方向▲１▼に押圧され、それに伴ってディスク押え部２８が矢印方向▲２▼に移動して、ロック部片２４が底面部１３の所定位置に自動的に収まる。
【００４７】
図１１は蓋部材３を閉じた状態を示しており、トレイ２の上面が蓋部材３で完全に覆われて、トレイ２に収納している光ディスク２０が保護される。
【００４８】
図示していないが、蓋部材３を略９０度開き、光ディスク２０を縦置きの状態で保管することもでき、筒状部１９とロック部片２４の係合で光ディスク２０が前に倒れたりすることがなく、縦置きの状態が保持されている。光ディスク２０を使用する際にはロック部片２４を筒状部１９から外して所望の光ディスク２０を取り出し、再びロック部片２４を筒状部１９に係合すればよい。
【００４９】
なお、図８や図９とは使用の形態が異なるが、トレイ２を下ケース１から外し、蓋部材３を下ケース１に回動可能に支持して光ディスク２０を１枚収納するディスク収納容器として使用することもできる。
【００５０】
図１２は、筒状部１９ならびにロック部片２４の変形例を示す図である。この例の場合、筒状部１９をほぼ半周取り囲むようにロック部片２４が形成され、ロック部片２４の内周部側に２つの凸部３１が設けられ、段部３２の方にはこの凸部３１に対応して２つの切欠部が形成されている。またこの例では、突出片３０は、前壁１４側に向けて突出している。筒状部１９ならびにロック部片２４の機能などは前記実施の形態とほぼ同様であるから、それらの説明は省略する。
【００５１】
図１３は、ロック部片２４の変形例を示す図である。この例の場合、２つの回動片部２６，２６の内側寄りにリブ３７，３７が形成されている。このリブ３７を突設することにより、回動片部２６と光ディスク２０の外周部との接触がより確実となる。
【００５２】
前記実施の形態は下ケース１とトレイ２と蓋部材３の３ピースからディスク収納容器を構成したが、下ケースを省略してトレイと蓋部材とからディスク収納容器を構成することもできる。この場合トレイと蓋部材は別体であっても、薄肉のヒンジ部を介してトレイと蓋部材を一体に形成することもできる。
【００５３】
前記実施の形態はトレイ２の後壁１５にロック部片２４を設けたが、前壁や側壁などトレイの他の部分からロック部片を一体に延設することもできる。
【００５４】
前記実施の形態は筒状部１９の頂面に係止部を設けたが、筒状部の上部側面に係止部を形成することもできる。
【００５５】
前記実施の形態は円筒状の筒状部１９を設けたが、三角形以上の多角形の筒状部を設けることもできる。
【００５６】
前記実施の形態は蓋部材３をトレイ２に回動可能に支持したが、蓋部材３を下ケース１に回動可能に支持して、その間にトレイ２を配置することもできる。
【００５７】
前記実施の形態は光ディスク２０を収納する場合を説明したが、ハードディスクや他の円盤状部材などを収納するディスク収納容器にも適用可能である。
【００５８】
【発明の効果】
第１ならびに第２の本発明は前述のように、トレイから延びたロック部片を筒状部に着脱可能に係止することにより、蓋部材を開いた状態でも収納されたディスクがディスク収納空間部から脱落するのを防止する構成になっているから、ディスクを縦置きにして蓋部材を開いても収納されているディスクが倒れて外に出ることがなく、ディスクを縦置きにして使用あるいは保管することが可能である。また蓋部材を下にした状態で誤って開けた場合も、収納しているディスクが脱落して損傷するようなことがない。このようなことから取扱性の良好なディスク収納容器を提供することができる。
【００５９】
第１の本発明は前述のように、ロック部片にディスクの非記録領域と当接する凸部が設けられているから、ロック部片の浮き上がりによるディスク表面の傷付きが防止できる。
【００６０】
第２の本発明は前述のように、最下部のディスクの外周部が回動片部の下部に当接する構成になっているから、ロック部片の浮き上がりによるディスク表面の傷付きが防止できるとともに、所定枚数のディスクが確実に収納可能である。
【図面の簡単な説明】
【図１】本発明の実施形態に係るディスク収納容器に用いる下ケースの斜視図である。
【図２】そのディスク収納容器に用いる蓋部材の斜視図である。
【図３】そのディスク収納容器に用いるトレイの斜視図である。
【図４】そのトレイの平面図である。
【図５】図４Ｘ−Ｘ線上の断面図である。
【図６】そのトレイの筒状部付近の拡大断面図である。
【図７】蓋部材を開いて光ディスクを収納する前の状態を示す斜視図である。
【図８】光ディスクを収納してロック部片を筒状部に係止した状態を示す斜視図である。
【図９】ロック部片を取り出さないで光ディスクを収納した状態を示す斜視図である。
【図１０】ロック部片を取り出さないで光ディスクを収納したときの回動片部付近の状態を示す拡大断面図である。
【図１１】蓋部材を閉じた状態を示す斜視図である。
【図１２】筒状部とロック部片の変形例を示すトレイの平面図である。
【図１３】ロック部片の変形例を示すトレイの斜視図である。
【図１４】従来提案された磁気記録媒体包装容器に用いる重畳台の平面図である。
【図１５】図１４のＡ−Ａ線断面図である。
【図１６】図１４のＢ−Ｂ線拡大断面図である。
【図１７】そのディスク収納容器に用いる筒状蓋の平面図である。
【図１８】図１７のＡ−Ａ線断面図である。
【図１９】磁気記録媒体を収納した包装容器の断面図である。
【図２０】従来提案された光ディスク収納用容器の斜視図である。
【図２１】光ディスクをクランプする直前の状態を示す光ディスク収納用容器の要部断面図である。
【符号の説明】
１  下ケース
２  トレイ
３  蓋部材
１３  底面部
１４  前壁
１５  後壁
１６  側壁
１８  ディスク収納空間部
１９  筒状部
２０  光ディスク
２１  挿入口
２２  係止片
２３ａ，２３ｂ  切り込み溝
２４  ロック部片
２５  第１ヒンジ部
２６  回動片部
２７  第２ヒンジ部
２８  ディスク押え部
２９  開口部
３０  突出片
３１  凸部
３２  段部
３３  記録領域
３４  非記録領域
３５  切欠部
３６  凹部
３７  リブ
【図１】
0003814109.tif 000002
【図２】
0003814109.tif 000003
【図３】
0003814109.tif 000004
【図４】
0003814109.tif 000005
【図５】
0003814109.tif 000006
【図６】
0003814109.tif 000007
【図７】
0003814109.tif 000008
【図８】
0003814109.tif 000009
【図９】
0003814109.tif 000010
【図１０】
0003814109.tif 000011
【図１１】
0003814109.tif 000012
【図１２】
0003814109.tif 000013
【図１３】
0003814109.tif 000014
【図１４】
0003814109.tif 000015
【図１５】
0003814109.tif 000016
【図１６】
0003814109.tif 000017
【図１７】
0003814109.tif 000018
【図１８】
0003814109.tif 000019
【図１９】
0003814109.tif 000020
【図２０】
0003814109.tif 000021
【図２１】
0003814109.tif 000022